(57)【要約】      （修正有）【課題】磁力や振動を含む外力による遊技球の転動に影響を与えるような行為に基づく状態を検出できる遊技機を提供する。【解決手段】発射操作に基づいて発射された遊技球が入球可能な入球口を設けた遊技盤４と、入球に基づいて遊技に係る制御を行う制御手段とを備え、遊技盤４の盤面に対して交差する方向を向く通路２１ｆ、２２１ｅを有するケース体２１、２２と、遊技機に対して磁石が接近した場合、又は遊技機に対して振動が与えられた場合の少なくともいずれかの外力によって、ケース体２１、２２内において通路２１ｆ、２２１ｅ内を前方へ移動可能な磁性体Ｍと、磁性体Ｍの前方への移動に対して所定の抵抗を付与する抵抗付与手段Ｉ１、Ｉ２と、磁性体Ｍが抵抗に抗して通路２１ｆ、２２１ｅ内を前方へ移動したことを検出することで制御手段へ検出信号を出力する磁性体検出センサ２３にとよりユニット化するように構成された磁性体収容手段２０を設ける。【選択図】図８
2017018396.tif 000002
【特許請求の範囲】
【請求項１】
発射操作に基づいて発射された遊技球が入球可能な入球口を設けた遊技盤と、当該入球に基づいて遊技に係る制御を行う制御手段をと備える遊技機において、
前記遊技盤の盤面に対して交差する方向を向く通路を有するケース体と、
前記遊技機に対して磁石が接近した場合、又は前記遊技機に対して振動が与えられた場合の少なくともいずれかの外力によって、前記ケース体内において前記通路内を前方へ移動可能な磁性体と、
前記磁性体の前方への移動に対して所定の抵抗を付与する抵抗付与手段と、
前記磁性体が前記抵抗に抗して前記通路内を前方へ移動したことを検出することで前記制御手段へ検出信号を出力する磁性体検出センサにとよりユニット化するように構成された磁性体収容手段を設けることを特徴とする遊技機。
【請求項２】
前記抵抗付与手段を、前記通路に形成され前方へ向けて上り傾斜の傾斜面とし、少なくとも前記発射操作時に生じ得る微磁力や微振動を含む弱外力によりも大きい前記抵抗を付与可能とすることを特徴とする請求項１記載の遊技機。
【請求項３】
前記磁性体検出センサを、前記磁性体を通過可能とするとともに、当該通過を検出可能とし、かつ前記通路において前記外力が発生していない場合の前記磁性体の前方に配置し、
前記通路の長さを、前記磁性体検出センサが前記磁性体の通過を適切に検出可能な程度の最短の長さとすることを特徴とする請求項１または２に記載の遊技機。
【請求項４】
前記磁性体を前記遊技球と同様の磁性球体とし、前記磁性体検出センサを、前記入球口内に設けられ前記遊技球の入球を検出可能な入球検出センサと同様のセンサとしたことを特徴とする請求項１〜３のいずれかに記載の遊技機。
【発明の詳細な説明】
【技術分野】
【０００１】
本発明は、不正行為の対策が施された遊技機に関するものである。
【背景技術】
【０００２】
従来、パチンコ店等の遊技場に設置されている遊技機（パチンコ機、弾球遊技機）には、遊技領域に発射された遊技球の始動口への入賞に基づいて、遊技領域に設けられたメイン役物（可変入賞球装置）内への遊技球の入球を許否可能な一対の可動片（羽根）が所定回数開放し、開放している間に入球した遊技球がメイン役物内の特別入賞口に入賞すると、遊技状態を特定遊技状態に移行させ、さらに可動片が所定の最大回数を限度に繰り返し開放されることにより特定遊技状態が継続し、遊技球が入賞し易い状態となるように構成された遊技機がある。
【０００３】
また、同じく、遊技球が始動口に入賞したことに基づいて、遊技球の払出しや当否抽選が行われ、当否抽選の結果、大当りに当選した場合に、遊技状態を特定遊技状態に移行させ、大入賞口が複数回開放して、当該大入賞口に遊技球が入賞し易い状態となるように構成された遊技機がある。
上述のいずれの遊技機においても、遊技領域に発射された遊技球が入賞しなかった場合には、アウト口から遊技領域外に排出される。
【０００４】
このような遊技機に対して、外力による不正行為、例えば、磁石を用いたり、遊技機（遊技盤面）を振動させることにより、遊技球の流下（転動）方向を変更させたり、遊技球の流下を留めたりすることによって、あるいは、不正な電波により、入賞を誤検出させることによって、持ち球を減らさず、又は早期に特定遊技状態へ移行させること行われる場合がある。
【０００５】
具体的に、上述のメイン役物には、例えば、複数の誘導路が設けられ、誘導路の内の特定通路を通過する遊技球の特別入賞口への入賞確率が高くなるように構成するものがあるが、この場合において、遊技球が特定通路を通過し得ない方向へ転動したとしても、当該遊技球を磁石の磁力又は振動により転動方向を変更させることによって、強制的に特定通路に通過させて、特別入賞口に入賞させるようにして大当りとなる確率を高めるような不正行為が行われることがある。
【０００６】
また、上述のメイン役物又は大入賞口を備える遊技機において、遊技領域を流下する遊技球を磁石の磁力によって留め、複数の遊技球を流下経路上に詰まらすことにより、葡萄状の塊を形成して、アウト口への遊技球の流路を塞ぎつつ、始動口へ導く流路を形成するようにして、持ち球を減らさずに、始動口への入賞機会を増加させ、大当りとなる確率を高めるような不正行為が行われることがある。
【０００７】
また、始動口において入賞を検出する球検出センサに対して不正な電波によって入賞を誤検出させて、大当りとなる確率を高めるような不正行為が行われることがある。
【０００８】
このような外力による不正行為を防止するために、例えば、磁石を用いた不正行為を検出する対策を施した遊技機（特許文献１）や、振動による不正行為を検出する対策を施した遊技機（特許文献２）や、電波による不正行為を検出する対策を施した遊技機がある。
【０００９】
具体的に特許文献１に記載の遊技機では、遊技機に磁石が近づけられた場合にリードスイッチの第１のリード及び第２のリードのうちいずれか一方が他方よりも先に磁化して接点部が互いに接触し、磁気の異常発生を報知する。
また、特許文献２に記載の遊技機では、振動を検出する振動センサは、センサケース内に、ばね部材によって片持ちで固定される重りと接触して設けられ、重りから加えられた力の大きさに応じた電圧を発生する圧電素子において、電圧が所定量に達すると機枠を叩いたりして振動させる不正行為がされたものとして検出する。
また、電波による不正行為を検出可能な遊技機においては、例えば、電波受信回路型の検出装置を採用し、不正に送信された電波を検出する。
【先行技術文献】
【特許文献】
【００１０】
【特許文献１】特開２００８−２４５８０５号公報
【特許文献２】特開２００８−２２８３３６号公報
【発明の概要】
【発明が解決しようとする課題】
【００１１】
しかしながら、上述のような磁石、振動または電波等の外力による不正行為を検出するためには、不正行為に対応した検出手段（スイッチやセンサ）をそれぞれ設ける必要があり、遊技機内に検出手段ごとの設置スペースを要する。また、近年の様々な機能（部材）を搭載する遊技機においては、他部材との配置関係から、検出手段の設置スペースが制限されることがあり、例えば、各検出手段の好適な配置位置が重複した場合（例えば、各検出手段において、始動口の直下が好適な位置である場合）には、始動口の直下にはいずれか一つの検出手段しか配置することができない虞があり、始動口の直下に配置できない他の検出手段の検出精度が低下する可能性があった。
【００１２】
本発明は、上記事情に鑑みてなされたものであり、磁力や振動を含む外力による遊技球の転動に影響を与えるような行為に基づく状態を検出可能な磁性体収容手段を設けた遊技機を提供することを目的とする。
【課題を解決するための手段】
【００１３】
上記目的を達成するために、第１の発明は、発射操作に基づいて発射された遊技球が入球可能な入球口を設けた遊技盤と、当該入球に基づいて遊技に係る制御を行う制御手段とを備える遊技機において、前記遊技盤の盤面に対して交差する方向を向く通路を有するケース体と、前記遊技機に対して磁石が接近した場合、又は前記遊技機に対して振動が与えられた場合の少なくともいずれかの外力によって、前記ケース体内において前記通路内を前方へ移動可能な磁性体と、前記磁性体の前方への移動に対して所定の抵抗を付与する抵抗付与手段と、前記磁性体が前記抵抗に抗して前記通路内を前方へ移動したことを検出することで前記制御手段へ検出信号を出力する磁性体検出センサにとよりユニット化するように構成された磁性体収容手段を設ける。
【００１４】
第１の発明では、不正行為者が遊技球を入球口へ誘導させるため、遊技機に不正に磁石（不正磁石）を接近させた際、通路内の磁性体（例えば、遊技球、メダル等）が、接近してきた不正磁石の磁力により、抵抗付与手段（例えば、前方への上り傾斜となる傾斜面、磁性体が進行方向に対して乗り上げるような階段状の上り段部や小突起などの段差部、通路後部に設け磁性体を初期位置に保持するための磁石（電気磁石を含む）や粘着材などの所定のストッパ）の抵抗に抗して前方へ移動することによって、磁性体検出センサが、磁性体を検出し、制御手段に検出信号を出力することで、不正磁石の近接による不正行為を検出することができる。
なお、抵抗付与手段は、遊技機の設置環境に応じて磁性体を初期位置に保持させておくための抵抗力を可変できるように適宜に調整可能とすると好適である。
【００１５】
また、不正行為者が遊技機（遊技盤）に振動を与えた際、磁性体収容手段は、通路上の磁性体が慣性により、抵抗付与手段の抵抗に抗して前方へ相対的に移動することによって、磁性体検出センサが、磁性体を検出し、制御手段に不正行為検出信号を出力することで、遊技機（遊技盤）の振動による不正行為を検出することができる。
【００１６】
第２の発明は、第１の発明において、前記抵抗付与手段を、前記通路に形成され前方へ向けて上り傾斜の傾斜面とし、少なくとも前記発射操作時に生じ得る微磁力や微振動を含む弱外力によりも大きい前記抵抗を付与可能とする。
【００１７】
第２の発明では、傾斜面という簡単な構成で、磁性体を、通路の後部、すなわち前側の磁性体検出センサとは反対側の初期位置に留めるようにすることによって、遊技球の発射操作時に生じ得る微弱（遊技球を殆ど移動させることができない程度）の磁力や振動では傾斜面を上って、または磁石の磁力に逆らって前方へ移動して磁性体検出センサを通過しないようにすることができる。すなわち、通常の（正常な）遊技においても発生し得るような外力（磁力や振動）の誤検出を防止することができる。
【００１８】
また、磁性体が不正行為等で通路の前方に移動した場合であっても、不正行為等が行われなくなった際には、通路の後端の初期位置に移動するため、上述の不正行為を適切に検出することができる。
【００１９】
第３の発明は、第１の発明または第２の発明において、前記磁性体検出センサを、前記磁性体を通過可能とするとともに、当該通過を検出可能とし、かつ前記通路において前記外力が発生していない場合の前記磁性体の前方に配置し、前記通路の長さを、前記磁性体検出センサが前記磁性体の通過を適切に検出可能な程度の最短の長さとする。
【００２０】
第３の発明では、磁性体検出センサが正常に検出可能な程度に、通路を必要最低限の長さにすることにより、磁性体収容手段（ケース体）の小型化を図ることができる。
【００２１】
第４の発明は、第１の発明〜第３の発明のいずれかにおいて、前記磁性体を前記遊技球と同様の磁性球体とし、前記磁性体検出センサを、前記入球口内に設けられ前記遊技球の入球を検出可能な入球検出センサと同様のセンサとする。
【００２２】
第４の発明では、磁性体を、実際に遊技の際に用いられる遊技球と同様の磁性球体とし、かつ、磁性体検出センサを入球口内に設けられる遊技球の入球を検出可能な入球検出センサと同様のセンサを採用することにより、新たに、特別な磁性体や磁性体検出センサを開発したり採用する必要がないため、既存の部材を利用して、効率よく磁性体収容手段を実現することができ、安価で不正行為の対策が可能となる。
【発明の効果】
【００２３】
本発明によれば、磁力や振動を含む外力による遊技球の転動に影響を与えるような行為に基づく状態を検出することができる。
【図面の簡単な説明】
【００２４】
【図１】第１の実施形態に係る遊技機の斜視図である。
【図２】同じく遊技機の遊技盤の正面図である。
【図３】図２におけるIII―III断面図である。
【図４】同じく遊技機の磁気振動検出ユニットの右上方から見た分解斜視図である。
【図５】同じく遊技機の磁気振動検出ユニットにおける前ケースの背面図である。
【図６】同じく遊技機の磁気振動検出ユニットにおける後ケースの正面図である。
【図７】同じく遊技機の磁気振動検出ユニットの平面図である。
【図８】図７におけるVII―VII断面図である。
【図９】第２の実施形態に係る遊技機における磁気振動電波検出ユニットの右上方から見た分解斜視図である。
【図１０】同じく遊技機の磁気振動電波検出ユニットにおける前カバー部材の背面図である。
【図１１】同じく遊技機の磁気振動電波検出ユニットにおけるセンサホルダの正面図である。
【図１２】同じく遊技機の磁気振動電波検出ユニットにおけるセンサホルダの背面図である。
【図１３】同じく遊技機の磁気振動電波検出ユニットの平面図である。
【図１４】図１３におけるXIV―XIV断面図である。
【図１５】変形例１に係る遊技機の要部の縦断面図である。
【図１６】変形例４に係る遊技機の要部の縦断面図である。
【図１７】変形例５に係る遊技機の要部の縦断面図である。
【図１８】変形例６に係る遊技機の要部の縦断面図である。
【図１９】変形例に係る遊技機の電波検出ユニットの縦断面図である。
【図２０】変形例８に係る遊技機の遊技盤の正面図である。
【発明を実施するための形態】
【００２５】
以下、図１〜図２０を参照し、発明の第１の実施形態、第２の実施形態及び変形例を通じて本発明を詳説するが、以下の実施形態及び変形例は特許請求の範囲に係る発明を限定するものではなく、実施形態の中で説明される特徴の組み合わせの全てが発明の解決手段に必須であるとは限らない。
なお、以下の説明において遊技機（パチンコ機）の各部の左右方向は、その遊技機に対面する者にとっての左右方向に合わせて説明する。すなわち、遊技機の正面から説明する場合は、遊技機の正面に対面する者（例えば、遊技者）の視点を基準とする。
【００２６】
（第１の実施形態）
図１に示すように、遊技場の島設備に設置される遊技機１は、縦長矩形の枠状の枠部材２に装着され、遊技球が流下可能な遊技領域４ａ（図２参照）を有する透明の合成樹脂で形成された遊技盤４を備え、その前面には遊技盤４の前面を、保護するとともに視認可能な透明のガラス板５ａを嵌め込んだガラス枠５が、枠部材２に固定された上下の蝶番５ｂ、５ｂにより垂直軸回りに開閉自在に取り付けられる。ガラス枠５には、遊技状況に応じて、効果音を出力する図１において鎖線で現されるスピーカ６Ｌ、６Ｒや、発光態様が変化する電飾装置７等が設けられる。遊技機１の下側には、遊技球を遊技領域４ａへ発射可能な発射装置（図示省略）に遊技球を供給し、遊技球の入賞に基づいて払い出される賞球等を一時的に貯留するための上受皿８ａと、上受皿８ａに貯留された遊技球を導入可能であって、当該遊技球を遊技機１とは別体の遊技球収容箱（図示省略）に排出可能な下受皿８ｂとが設けられる。下受皿８ｂの右方には、発射操作により遊技領域４ａへ発射される遊技球の発射力を調整可能な発射ハンドル９が設けられる。
【００２７】
図２に示すように、遊技盤４の前面には、ガイドレールＧＬにより包囲される略円形の遊技領域４ａが形成される。遊技領域４ａには、遊技球の流下方向を変化させる多数の遊技釘Ｎや風車Ｗが各所に設けられる。遊技領域４ａの略中央には、可動役物を動力（モータ、ソレノイド等）により駆動し、発光素子（ＬＥＤ等）を発光させることにより様々な演出を行うセンター役物１１が設けられる。センター役物１１は、センター役物１１の左側に設けられたワープ孔１１１に進入した遊技球を導入可能とし、導入された遊技球を前後左右に転動させ、後述する第１始動入賞口１５へ向けて遊技球を誘導可能なステージ１１ａを設ける。センター役物１１の後側には、図２において鎖線で現される演出表示装置（ＬＣＤ等）１２が配置され、センター役物１１の中央に形成された前後方向に貫通する開口部１１ｂから表示画面１２ａが視認可能となっている。表示画面１２ａには、遊技状況に応じた情報が表示され、例えば、キャラクタや、数字等から構成され、変動後に停止する態様で表示（変動表示又は停止表示ともいう）される演出図柄（後述する特図と連動して変動表示、停止表示する）や、物語性を有するストーリー演出等が表示される。
【００２８】
センター役物１１のステージ１１ａの直下には、遊技領域４ａを流下する遊技球及びステージ１１ａの前側から落下した遊技球が入球可能であって、入球した遊技球を入賞として検出する第１始動口センサ（入球検出センサ）１５１（図３参照）が内蔵され、当該入賞に基づいて大当りか否かを決定するための大当り抽選が行われる第１始動入賞口（入球口）１５と、第１始動入賞口１５の下方に設けられ、遊技球が入球可能であって、入球した遊技球を入賞として検出する第２始動口センサ（入球検出センサ）１７３（図３参照）が内蔵され、当該入賞に基づいて大当り抽選が行われる第２始動入賞口（入球口）１７と、後述するスルーチャッカ１６の遊技球の通過に基づいて、始動役物ソレノイド（図示省略）が作動して、第２始動入賞口１７へ遊技球が入球不能な閉鎖状態から遊技球が入賞可能な開放状態へ変動可能な可動片１７２（第２始動入賞口１７、可動片１７２、始動役物ソレノイド等を合わせて第２始動電動役物ともいう）と、遊技領域４ａの右領域（センター役物１１の右側の領域）にあって、遊技球が通過可能であって、当該通過に基づいて、可動片１７２を変動させるための変動抽選が行われるスルーチャッカ１６と、スルーチャッカ１６の下方に設けられ、大当り抽選の当選に基づく大当り遊技（特別遊技）への移行に基づいて、アタッカー用ソレノイド（図示省略）が作動して、閉鎖状態の開閉部材１８２を開放することによって、遊技球が入賞可能なアタッカー（大入賞口）１８と、発射装置から発射された遊技球を遊技領域４ａの右領域へ誘導するための右打ち通路４ｂと、遊技領域４ａに打ち込まれた遊技球のうち第１始動入賞口１５、第２始動入賞口１７、アタッカー１８等に入賞しなかった遊技球を遊技盤４の裏面側に排出するアウト口１９等が設けられる。
【００２９】
また、遊技盤４の裏面における第１始動入賞口１５と第２始動入賞口１７との間には、磁気振動検出ユニット（磁性体収容手段）２０が配置されている。
なお、図２において、遊技盤４の一部を切り欠いて磁気振動検出ユニット２０を現しているが、これは、位置関係等を説明するためであって、実際には、磁気振動検出ユニット２０が配置される遊技盤４の前面に飾り板を設けたり、シールを貼付したり、塗装したり、表面加工等を施すことにより磁気振動検出ユニット２０が視認できないように構成している。
【００３０】
図３に示すように、第１始動口センサ１５１、第２始動口センサ１７３、または磁気振動検出ユニット２０等は、遊技機１の裏面に配置された制御基板（制御手段）１００（遊技全体を統括的に制御する主制御基板（不正行為判定手段）１１０、主制御基板１１０からの指令に基づいて演出対象物を制御する副制御基板（演出制御基板）１２０など）に電気的に接続される。
【００３１】
次に、図３〜８を参照して、磁気振動検出ユニット（磁性体収容手段）２０について説明をする。
図３に示すように、磁気振動検出ユニット２０は、遊技盤４の裏面に配置されており、図４に示すように、前ケース（ケース体）２１と、後ケース（ケース体）２２と、球状の強磁性体である磁性球体Ｍと、通過センサ（磁性体検出センサ）２３とから構成され、単独で遊技機１に取り外し可能なようにユニット化されている。
【００３２】
図４及び図５に示すように、前ケース２１は、合成樹脂で成形され、上板２１ａ、下板２１ｂ、両側板２１ｃ、２１ｃ、前板２１ｄを有し、後側が開放する縦長の略箱型をなしており、内側の上下方向の略中央に仕切り板２１ｅが設けられることにより、上箱部２１２と下箱部２１３との上下に区画される。
【００３３】
上箱部２１２の底板（仕切り板２１ｅの上面）には、磁性球体Ｍが転動（移動）可能であって、後方へ若干傾斜する（例えば、５度程度）傾斜面（抵抗付与手段）Ｉ１を有する上流通路（通路）２１ｆが形成される。この傾斜面Ｉ１は、磁性球体Ｍに対して、後方への抵抗（勾配抵抗）を付与し、これにより磁性球体Ｍは、上流通路２１ｆから後述する下流通路２２１ｅへ転動するようになっている。
【００３４】
また、上箱部２１２の両側板２１ｃ、２１ｃの内面には、内側へ突出し、前後方向に延びる誘導リブ２１２ａ、２１２ａが形成され、誘導リブ２１２ａ、２１２ａの前端側の入隅部には、後内方に傾斜する当接リブ２１２ｂ、２１２ｂが形成される。また、上箱部２１２の上前側の入隅部の略中央にも同様に後内方に傾斜する当接リブ２１２ｂが形成される。
【００３５】
この構成により、磁性球体Ｍが上流通路２１ｆを転動する際、前後方向に直進しない場合であっても、誘導リブ２１２ａ、２１２ａの互いの内端に当接しながら移動するため、左右方向へ振れる（移動する）ことなく確実に前後方向へ誘導することができる。また、誘導リブ２１２ａや当接リブ２１２ｂにより上箱部２１２の強度を高めている。
【００３６】
下箱部２１３の両側板２１ｃ、２１ｃの内面には、内側へ突出し、前後方向に延びる支持リブ２１３ａ、２１３ａが設けられている。上箱部２１２の左右の誘導リブ２１２ａ、２１２ａ、仕切り板２１ｅ、及び下箱部２１３の左右の支持リブ２１３ａ、２１３ａの各先端（後端）によって、通過センサ２３の前面を支持するようになっている。
【００３７】
なお、これらの通過センサ２３の前面を支持する各先端（後端）は、前ケース２１の下板２１ｂや両側板２１ｃ、２１ｃの各先端（後端）よりも前側に位置しているため、通過センサ２３を支持した状態で、前ケース２１内に収容可能となっている。また、通過センサ２３の後面は、後述する後ケース２２の前面によって支持される（通過センサ２３は前ケース２１及び後ケース２２により挟持される）。また、支持リブ２１３ａ、２１３ａにより下箱部２１３の強度を高めている。
【００３８】
前ケース２１の両側板２１ｃ、２１ｃの外面の前端の下側には、側方へ突出し、ネジＳ１を挿通可能な前後方向のネジ挿通孔２１４ａ、２１４ａをそれぞれ上下に設けた取付片２１４、２１４が設けられ、両側板２１ｃ、２１ｃの外面の後上側には、後方を向くネジ孔２１５ａ、２１５ａが形成された前後方向のボス２１５、２１５が設けられる。
【００３９】
前ケース２１の上板２１ａの後端には、後述する後ケース２２の庇部２２４が嵌合可能なように前方に向かって矩形状に切り欠かれた上切欠き部２１２ｃが設けられ、同じく下板２１ｂの後端には、前方に向かって矩形状に切り欠かれた通過センサ２３の配線接続用の下切欠き部２１３ｂが設けられる。
【００４０】
なお、前ケース２１は、縦長の略箱型に限定されることはなく、少なくとも、上流通路２１ｆを有する上箱部２１２を設けるものであればよい。より好ましくは、前ケース２１は、通過センサ２３を後ケース２２とにより安定して挟持できる形状とする（例えば、後ケース２２のように、上箱部２１２の下側から下方へ延びる下延片を設けるようにする）。
【００４１】
図４に示すように、通過センサ（磁性体検出センサ）２３は、正面視左上隅部に切欠き部２３ａを有する長矩形の板状をなし、上側に磁性球体Ｍが通過可能な円形の検出孔２３１が形成される。
【００４２】
ここで、第１の実施形態に係る遊技機では、磁性球体Ｍとして実際の遊技で使用する遊技球を採用することによって、通過センサ２３においても第１始動入賞口１５や第２始動入賞口１７に用いられている第１始動口センサ（入球検出センサ）１５１や第２始動口センサ（入球検出センサ）１７３として用いられている近接センサを採用することができるため好適である。
【００４３】
すなわち、通過センサ２３は、検出孔２３１を通過する磁性球体を非接触で検出可能な（無接点式の）近接センサである。具体的に、通過センサ２３は、検出孔２３１に沿うように、高周波発生回路の検出コイルが設けられており、当該検出コイルのインピーダンスの変化によって磁性球体Ｍを検出することができるようになっている。具体的には、検出コイルより高周波磁界が発生し、当該磁界に検出物体（金属、磁性球体Ｍ）が近づくと電磁誘導により検出物体に渦電流が発生し、当該電流により検出コイルのインピーダンスが変化することに基づいて、検出物体を検出する方式を採用している。従って、通過センサ２３は、磁性球体Ｍの検出孔２３１の通過を検出可能となっている。
【００４４】
通過センサ２３は、磁性球体Ｍを検出すると、検出信号（不正行為検出信号）を主制御基板１１０へ送信する。なお、上述の通り、第１始動口センサ（入球検出センサ）１５１及び第２始動口センサ（入球検出センサ）１７３は、通過センサ２３と同一の仕様となっている。
【００４５】
図４及び図６に示すように、後ケース２２は、合成樹脂で成形され、上板２２１ａ、下板２２１ｂ、両側板２２１ｃ、２２１ｃ、後板２２１ｄを有し、前側が開放する略箱型の箱部２２１と、箱部２２１の前下端部から下方へ延びる長矩形の下延片２２２とから構成される。箱部２２１内の底面（下板２２１ｂの上面）には、遊技球が移動（転動）可能であって、後方へ若干傾斜する（例えば、５度程度）傾斜面（抵抗付与手段）Ｉ２を有する下流通路（通路）２２１ｅが形成される。この傾斜面Ｉ２は、後方への抵抗（勾配抵抗）を付与し、これにより磁性球体Ｍは、下流通路２２１ｅの下流の初期位置（後端）へ転動するようになっている。
【００４６】
箱部２２１の内部構成は、前ケース２１の上箱部２１２の内部構成と同様である。すなわち、箱部２２１の両側板２２１ｃ、２２１ｃの内面には、内側へ突出し、前後方向に延びる誘導リブ２２１ｆ、２２１ｆが形成され、誘導リブ２２１ｆ、２２１ｆの後端側の入隅部には、前内方に傾斜する当接リブ２２１ｇ、２２１ｇが形成される。また、箱部２２１の上後側の入隅部の略中央にも同様に前内方に傾斜する当接リブ２２１ｇが形成される。
箱部２２１の構成の効果も、前ケース２１の上箱部２１２の効果と同様である。
【００４７】
箱部２２１の両側板２２１ｃ、２２１ｃの外面には、側方へ突出し、ネジＳ２が挿通可能な前後方向のネジ挿通孔２２６ａを設けた取付片２２６、２２６が設けられる。取付片２２６の周縁に沿って、正面視横向きＵ字状に前方へ突出する嵌合片２２６ｂが設けられる。前ケース２１のボス２１５、２１５の後端が嵌合片２２６ｂ、２２６ｂに嵌合可能となっている。
【００４８】
箱部２２１の上板２２１ａの前端には、前方へ突出する矩形状の庇部２２４が設けられる。庇部２２４の正面視左端には、下方に突出する尖形をなし通過センサ２３の切欠き部２３ａと相補形をなす尖形部２２４ａが形成される。庇部２２４は、上述の前ケース２１の上切欠き部２１２ｃに嵌合可能であって、通過センサ２３を前ケース２１及び後ケース２２に収容する際、通過センサ２３の上部が当接片の下面に当接するようになっている。
【００４９】
図４に示すように、磁気振動検出ユニット２０は、磁性球体Ｍを後ケース２２の下流通路２２１ｅに配置した状態（図７、図８参照）で、前側から前ケース２１、通過センサ２３、後ケース２２の順で組付け、後方からネジＳ２を取付片２２６のネジ挿通孔２２６ａを挿通させてボス２１５のネジ孔２１５ａにネジ止めすることによって、磁性球体Ｍを収容した状態（外部からの直接接触できない状態でかつ、磁性球体Ｍが外部へ離脱不能な状態）として形成される。これにより、前ケース２１の上流通路２１ｆと通過センサ２３の検出孔２３１と後ケース２２の下流通路２２１ｅとが互いに連通するようになり、単一の通路として磁性球体Ｍが転動可能となる。
【００５０】
ここで、この単一の通路は、図４に示すように、その略中央に通過センサ２３が配置され、通過センサ２３が磁性球体Ｍの通過を適切に検出できる最低限の長さ（例えば、上流通路２１ｆ及び下流通路２２１ｅのそれぞれが磁性球体Ｍの１個分強の長さ、すなわち、上流通路２１ｆ及び下流通路２２１ｅのいずれにおいても、通過センサ２３を完全に通過可能な長さ、換言すると、通路の全長としては磁性球体Ｍの直径の２倍強をなす最短寸法）となるように構成しており、磁気振動検出ユニット２０の小型化を図っている。
【００５１】
この状態で、磁気振動検出ユニット２０を、後方からネジＳ１を取付片２１４のネジ挿通孔２１４ａ、２１４ａを挿通させて、遊技盤４の裏面にネジ止め固定する（図７参照）。磁気振動検出ユニット２０は、このように固定されると、上流通路２１ｆが前側、下流通路２２１ｅが後側となるように配置されるとともに、上流通路２１ｆと検出孔２３１と下流通路２２１ｅからなる１つの通路が、遊技盤４の盤面に交差する方向を向くように構成される。
【００５２】
主制御基板（不正行為判定手段）１１０は、通過センサ２３からの検出信号（不正行為検出信号）に基づいてエラー発生と判断して、大当り抽選や変動抽選を停止または無効とする制御や、発射ハンドル９を操作した場合であっても、所定期間、発射装置から遊技球を発射できないような制御処理（不正行為抑制処理）を行う。また、主制御基板１１０は、通過センサ２３からの検出信号に基づいて、エラーが発生した旨の信号（エラー信号）を演出制御基板１２０に送信し、演出制御基板１２０は、スピーカ６Ｌ、６Ｒから警告音を出力させたり、電飾装置７において警告ランプを点灯させたり、演出表示装置１２の表示画面１２ａに、不正行為が行われている旨を示す演出画像や、不正行為を抑制するような警告画像を表示さるような制御処理（不正行為抑制処理）を行う。
なお、主制御基板１１０が不正行為抑制処理を行わない遊技仕様の場合は、通過センサ２３の検出信号を演出制御基板（不正行為判定手段）１２０が（直接または間接的に）受信して、それに基づいて不正行為制御処理を行うようにしてもよい。
【００５３】
次に、図７及び図８を参照して、不正に磁石（不正磁石）を使用したり、遊技機１（遊技盤４）を振動にさせたりする不正行為（以下、第１の実施形態の説明において単に不正行為ともいう）が行われた際の、磁気振動検出ユニット２０の作動態様について説明する。
図７及び図８に示すように、磁気振動検出ユニット２０は、不正行為が行われていない正常状態では、磁性球体Ｍが前ケース２１の上流通路２１ｆ及び後ケース２２の下流通路２２１ｅの傾斜面Ｉ１、Ｉ２によって後ケース２２の後端に留まるようになっている。
【００５４】
例えば、遊技盤４の前方から第１始動入賞口１５や第２始動入賞口１７に不正磁石を近づけた場合、当該不正磁石の磁力によって磁性球体Ｍが前方（所定方向）へ転動し、また、遊技機１を叩いたりして遊技盤４を振動させた場合、磁性球体Ｍは慣性により、後ケース２２の前方へ相対的に移動することにより、通過センサ２３の検出孔２３１を通過する。通過センサ２３は磁性球体Ｍの通過を検出し、検出信号を主制御基板１１０へ送信する。磁性球体Ｍは、下流通路２２１ｅを前方へ転動する際、左右の誘導リブ２２１ｆ、２２１ｆによって誘導されることによって、通過センサ２３の検出孔２３１を確実に通過するようになっている。
【００５５】
不正磁石の磁力が強力な場合や振動の衝撃が強力な場合は、図８の二点鎖線で現されるように、磁性球体Ｍは、通過センサ２３を通過後、前ケース２１の上流通路２１ｆ内を傾斜面Ｉ１に逆らって左右の誘導リブ２１２ａ、２１２ａに沿って転動し、前ケース２１の前板２１ｄの当接リブ２１２ｂ、２１２ｂ、２１２ｂに当接する。
【００５６】
そして、不正磁石が遊技盤４から離れた場合には、磁性球体Ｍは、上流通路２１ｆ及び下流通路２２１ｅの傾斜面Ｉ１、Ｉ２によって後ケース２２の後端へ転動する。その際、磁性球体Ｍが通過センサ２３を通過すると、通過センサ２３は再び磁性球体Ｍの通過を検出し、検出信号を主制御基板１１０へ送信する。磁性球体Ｍは、上流通路２１ｆを後方へ転動する際、左右の誘導リブ２１２ａ、２１２ａによって誘導されることによって、通過センサ２３の検出孔２３１を確実に通過するようになっている。
【００５７】
以上の構成から、不正行為が行われない場合は、磁性球体Ｍは下流通路２２１ｅの傾斜面Ｉ２によって、僅かな磁力や振動では上流側へ移動しないように下流側の端部に保持されるため、通過センサ２３において、通常の（正常な）遊技においても発生し得るような外力（磁力や振動）の誤検出の防止を図ることができる。
【００５８】
また、遊技盤４に、遊技球の転動（流下）に影響を与えるような磁力を有する不正磁石を接近させた場合や、遊技球の転動（流下）に影響を与えるような振動を与えた場合には、磁性球体Ｍが上流側へ転動して通過センサ２３を通過するため、通過センサ２３は磁性球体Ｍの検出を通して不正行為を検出することができる。そして、通過センサ２３による検出信号により、主制御基板１１０は磁気または振動によるエラー発生と判断し、上述の不正行為抑制処理を行うことにより、不正行為を防止することができる。
【００５９】
また、磁性球体Ｍが不正行為等で上流通路２１ｆや下流通路２２１ｅの前方に移動した場合であっても、不正行為等が行われなくなれば下流通路２２１ｅの後端の初期位置に移動するため、上述の不正行為を適切に検出することができる。
【００６０】
また、磁気振動検出ユニット２０は、構造が単純であり、かつ組立が容易な構成となっている。また、磁気振動検出ユニット２０自体が小型であるため、省スペースで配置可能であるとともに、機種に依存することなく、共通化が図れ、リユースが可能となっている。
また、磁性球体Ｍの通過の検出によって、不正行為の判断を行うようになっているため、検出手法も簡便であり、判断に係る制御が容易である。
また、磁性球体Ｍとして遊技球を採用し、また通過センサ２３として遊技機（例えば、入賞口内に設けられた遊技球の入賞を検出するためのセンサとして）に一般的に採用される近接センサを利用することにより、新たに、特別な磁性球体Ｍや通過センサ２３を開発したり採用する必要がないため、既存の部材を利用して、効率よく磁気振動検出ユニット２０を実現することができ、安価で不正行為の対策が可能となる。また、磁性球体Ｍとして遊技球を採用することにより、不正磁石や振動などによる不正行為が行われた際に、磁性球体Ｍが、実際の遊技球と同じ挙動をとるため、検出の精度を高めることができる。
【００６１】
（第２の実施形態）
上述の第１の実施形態の磁気振動検出ユニット２０に不正の電波を検出する電波検出機能を実装する。この電波検出機能を実装した磁気振動検出ユニット２０を磁気振動電波検出ユニット３０という。磁気振動電波検出ユニット３０は、磁気振動検出ユニット２０と同様、遊技盤４の裏面における第１始動入賞口１５と第２始動入賞口１７との間に配置される。
なお、磁気振動検出ユニット２０を磁気振動電波検出ユニット３０としたこと以外は、第１の実施形態の遊技機と同様の構成であるため、詳細な説明は省略する。
【００６２】
図９に示すように、磁気振動電波検出ユニット３０は、前側から、前カバー部材（ケース体）３１と、電波検出用通過センサ３２と、電波検出用通過センサ３２の検出孔３２１内に、常に検出状態として設けられる磁性球体Ｍ１と、電波検出用通過センサ３２と通過センサ２３とを収容可能なセンサホルダ（ケース体）３３と、磁気及び振動検出用通過センサである通過センサ２３と、通過センサ２３を通過可能な磁性球体Ｍと、後ケース（ケース体）２２とから構成される。
なお、本実施形態の磁気振動電波検出ユニット３０における通過センサ２３、磁性球体Ｍ、及び後ケース２２は、第１の実施形態の磁気振動検出ユニット２０における通過センサ２３、磁性球体Ｍ、及び後ケース２２と構成が同一であるため説明は省略する。
【００６３】
図９及び図１０に示すように、前カバー部材３１は、合成樹脂で成形され、電波検出用通過センサ３２と正面視形状が同一の板状をなすカバー部３１１を有し、カバー部３１１の後面には、電波検出用通過センサ３２を前面から支持するため、その両側部の上側に、後方へ突出し上下方向に延びる上支持部３１２ａ、３１２ａと、後面の両側部の下側に、後方へ突出する下支持部３１２ｂ、３１２ｂとがそれぞれ設けられる。また、カバー部３１１の上支持部３１２ａ、３１２ａに一体的に設けられ、上支持部３１２ａ、３１２ａの外側から外側方へそれぞれ突出し、ネジＳ３が挿通可能な前後方向のネジ挿通孔３１３ａを設けた取付片３１３、３１３が設けられ、取付片３１３の周縁に沿って、正面視横向きＵ字状に後方へ突出する嵌合片３１３ｂが設けられる。後述するセンサホルダ３３のボス３３５、３３５の前端が嵌合片３１３ｂ（取付片３１３）に嵌合可能となっている。
【００６４】
図９に示すように、電波検出用通過センサ３２は、通過センサ２３と同様の近接センサであって、正面視左上隅部に切欠き部３２ａを有する長矩形の板状をなし、上側に磁性球体Ｍ１が通過可能な円形の検出孔３２１が形成されている。
【００６５】
ここで、第２の実施形態に係る遊技機でも、磁性球体Ｍ１として実際の遊技で使用する遊技球を採用することによって、第１始動口センサ１５１や第２始動口センサ１７３として用いられている近接センサを採用することができるため好適である。
【００６６】
電波検出用通過センサ３２は磁性球体Ｍ１の通過を検出すると、検出信号を主制御基板１１０へ送信する。第２の実施形態では、後述するように、磁性球体Ｍ１が電波検出用通過センサ３２によって常に検出されるように、検出孔３２１内に保持されるように設けられており、磁性球体Ｍ１の検出状態が維持され、検出信号が常に主制御基板１１０へ送信され続けるようになっている。
【００６７】
第２の実施形態の遊技機では、主制御基板１１０は、電波検出用通過センサ３２からの検出信号の受信、換言すると、電波検出用通過センサ３２の検出状態に基づいて正常と判断し、検出信号が送信されなかった場合（一時的であっても途絶えた場合）、換言すると、電波検出用通過センサ３２の非検出状態に基づいてエラー発生と判断して、不正行為抑制処理を行う。また、演出制御基板１２０は主制御基板１１０から送信されるエラー信号に基づいて不正行為抑制処理を行う。
【００６８】
図９、図１１及び図１２に示すように、センサホルダ３３は、前側及び後側のそれぞれの構成及び機能が異なっており、前側には、電波検出用通過センサ３２を収容可能な前収容部３３Ａが構成され、後側には通過センサ２３を収容可能な後収容部３３Ｂが構成されている。
【００６９】
センサホルダ３３は、合成樹脂で成形され、上板３３ａ、下板３３ｂ、両側板３３ｃ、３３ｃを有し、上板３３ａ、下板３３ｂ、両側板３３ｃ、３３ｃによって囲われた空間の前後方向の略中央に仕切り板３３ｄを設けることにより、前収容部３３Ａと後収容部３３Ｂとを区画している。
【００７０】
図９及び図１１に示すように、センサホルダ３３の前収容部３３Ａは、仕切り板３３ｄ及び仕切り板３３ｄよりも前側の上板３３ａ、下板３３ｂ、両側板３３ｃ、３３ｃによって構成され、正面視の形状は、電波検出用通過センサ３２の正面視の外形と同型で若干大寸をなし、電波検出用通過センサ３２を、前カバー部材３１の後面と仕切り板３３ｄの前面とによって検出孔３２１内に磁性球体Ｍ１を保持（前後左右方向への移動を制限）した状態で収容可能となっている。
【００７１】
仕切り板３３ｄの前面の上下には両側板３３ｃ、３３ｃの内面に沿って前方へ突出する支持片３３６、３３６、３３６、３３６が設けられ、下板３３ｂには、前端から後方へ向かって矩形状に切り欠かれる切欠き部３３７が設けられる。
【００７２】
前収容部３３Ａにおける両側板３３ｃ、３３ｃの外面の下側の前端には、外側方へ突出し、遊技盤４に取付けるためのネジを挿通可能な前後方向のネジ挿通孔３３４ａ、３３４ａをそれぞれ上下に設けた取付片３３４、３３４が設けられる。
前収容部３３Ａ及び後収容部３３Ｂにおける両側板３３ｃ、３３ｃの外面の上側には、前側に前方からのネジＳ３が螺合可能なネジ孔３３５ａ、３３５ａ及び後側にネジＳ２が螺合可能なネジ孔３３５ｂ、３３５ｂが形成された前後方向に延びるボス３３５、３３５が設けられる。
前収容部３３Ａにおける両側板３３ｃ、３３ｃの前端の取付片３３４、３３４の上方には、後方へ向かって矩形状に切り欠かれ、上述の前カバー部材３１の取付片３１３、３１３が嵌合可能な切欠き部３３８、３３８が設けられる。
【００７３】
図９及び図１２に示すように、センサホルダ３３の後収容部３３Ｂは、仕切り板３３ｄ及び仕切り板３３ｄよりも後側の上板３３ａ、下板３３ｂ、両側板３３ｃ、３３ｃによって構成され、第１の実施形態の前ケース２１の内部構成と同一の構成となっている。
すなわち、センサホルダ３３の後収容部３３Ｂは、内側の上下方向の略中央に仕切り板３３ｅが設けられることにより、上箱部３３２と下箱部３３３の上下に区画される。
【００７４】
図１２に示すように、上箱部３３２の底板（仕切り板３３ｅの上面）には、磁性球体Ｍが転動（移動）可能であって、後方へ若干傾斜する（例えば、５度程度）傾斜面（抵抗付与手段）Ｉ３を有する上流通路３３ｆが形成される。この傾斜面Ｉ３は、磁性球体Ｍが前方へ移動する際、後方への抵抗（勾配抵抗）を付与する。
【００７５】
また、上箱部３３２の両側板３３ｃ、３３ｃの内面には、内側へ突出し、前後方向に延びる誘導リブ３３２ａ、３３２ａが形成され、誘導リブ３３２ａ、３３２ａの前端側の入隅部には、後内方に傾斜する当接リブ３３２ｂ、３３２ｂが形成される。また、上箱部３３２の上前側の入隅部の略中央にも同様に後内方に傾斜する当接リブ３３２ｂが形成される。
【００７６】
下箱部３３３の両側板３３ｃ、３３ｃの内面には、内側へ突出し、前後方向に延びる支持リブ３３３ａ、３３３ａが設けられている。上箱部３３２の左右の誘導リブ３３２ａ、３３２ａ、仕切り板３３ｅ、及び下箱部３３３の左右の支持リブ３３３ａ、３３３ａの各先端（後端）によって、通過センサ２３の前面を支持するようになっている。
なお、これらの通過センサ２３の前面を支持する各リブ等の各先端（後端）は、センサホルダ３３の後収容部３３Ｂにおける下板３３ｂや両側板３３ｃ、３３ｃの各先端（後端）よりも前側に位置しているため、通過センサ２３を支持した状態で、後収容部３３Ｂ内に収容可能となっている。また、通過センサ２３の後面は、後ケース２２の前面によって支持される（通過センサ２３はセンサホルダ３３の後収容部３３Ｂ及び後ケース２２により挟持される）。
【００７７】
上箱部３３２の上板３３ａの後端には、後ケース２２の庇部２２４が嵌合可能なように前方に向かって矩形状に切り欠かれた上切欠き部３３２ｃが設けられ、同じく下板３３ｂの後端には、前方に向かって矩形状に切り欠かれた通過センサ２３の配線接続用の下切欠き部３３３ｂが設けられる。
【００７８】
磁気振動電波検出ユニット３０は、センサホルダ３３の前収容部３３Ａに電波検出用通過センサ３２を収容し、磁性球体Ｍ１を検出孔３２１内に配置した状態で、前カバー部材３１を前方から組付け、前方からネジＳ３を取付片３１３のネジ挿通孔３１３ａに挿通させてボス３３５のネジ孔３３５ａにネジ止めすることによって磁性球体Ｍ１を電波検出用通過センサ３２内に移動不能な態様で収容する。
【００７９】
さらに、上述の磁性球体Ｍ１を電波検出用通過センサ３２内に移動不能にして収容した状態のセンサホルダ３３の後収容部３３Ｂの後方から通過センサ２３を収容して、さらに後方から磁性球体Ｍを収容した状態の後ケース２２を組付け、後方からネジＳ２を取付片２２６のネジ挿通孔２２６ａを挿通させてボス３３５のネジ孔３３５ｂにネジ止めする。これにより、センサホルダ３３の後収容部３３Ｂの上流通路３３ｆと通過センサ２３の検出孔２３１と後ケース２２の下流通路２２１ｅとが互いに連通するようになり、１つの通路として磁性球体Ｍが転動可能となる。
【００８０】
この状態で、磁気振動電波検出ユニット３０を、後方からネジＳ１を取付片３３４のネジ挿通孔３３４ａ、３３４ａを挿通させて、遊技盤４の裏面にネジ止め固定する。
【００８１】
次に、電波による不正行為が行われた際の、磁気振動電波検出ユニット３０の作動態様について説明する。なお、不正磁石や振動による不正行為が行われた際の磁気振動電波検出ユニット３０の作動態様については、第１の実施形態と同様であるため説明は省略する。
【００８２】
ここで、電波による不正行為では、入賞口（第１始動入賞口１５、第２始動入賞口１７、アタッカー１８）内の第１始動口センサ１５１、第２始動口センサ１７３を、実際に遊技球が通過せずとも、電波の照射により遊技球が通過したものと誤検出させることができる。具体的には、当該電波により、第１始動口センサ１５１、及び第２始動口センサ１７３がオフ状態（遊技球の非検出状態）の時にはオン状態（遊技球の検出状態）とし、オン状態の時にはオフ状態とするようになっている。
【００８３】
本実施形態ではこの性質を利用して、この第１始動口センサ１５１、第２始動口センサ１７３と同様の（同じ仕様の）磁気振動電波検出ユニット３０において、検出状態から非検出状態となったことに基づいて、電波による不正行為を判断している。
具体的に、磁気振動電波検出ユニット３０は、上述したように、センサホルダ３３の前収容部３３Ａに電波検出用通過センサ３２を、磁性球体Ｍ１を常に検出するように（検出状態を維持するように）磁性球体Ｍ１を検出孔３２１内に配置した状態でセンサホルダ３３に収容されている。
従って、電波による不正行為が行われていない初期状態では、磁気振動電波検出ユニット３０の電波検出用通過センサ３２は検出状態が維持され、電波検出用通過センサ３２はオン信号（検出信号）を主制御基板１１０へ送信する。
【００８４】
例えば、遊技盤４の前方から第１始動入賞口１５や第２始動入賞口１７に電波を発生させる装置を近づけた場合、磁気振動電波検出ユニット３０の電波検出用通過センサ３２は検出状態から非検出状態となり、電波検出用通過センサ３２は主制御基板１１０へのオン信号の送信を停止する。
【００８５】
主制御基板１１０は、電波検出用通過センサ３２からのオン信号の送信が停止されたこと、換言すると、電波検出用通過センサ３２の非検出状態への切り替わりに基づいて電波によるエラー発生を判断する。
【００８６】
このように、電波検出用通過センサ３２を、実際に磁性球体Ｍ１を常に検出状態とし、電波の発生により、電波検出用通過センサ３２が検出状態から非検出状態に切り替わったことに基づいて、主制御基板１１０は、電波による不正行為が行われたとして、エラー発生を判断し、上述の不正行為抑制処理を行うことにより、不正行為を防止することができる。
【００８７】
また、磁気振動電波検出ユニット３０は、磁気振動検出ユニット２０と同様、構造が単純であり、かつ組立が容易な構成となっている。また、磁気振動検出ユニット２０自体が小型であるため、省スペースで配置可能であるとともに、機種に依存することなく、共通化が図れ、リユースが可能となっている。
また、特に、電波を検出する部分は、上述のように、電波検出用通過センサ３２の検出状態から非検出状態への切り替わりによって、不正行為の判断を行うようになっているため検出手法も簡便であり、判断に係る制御が容易である。
また、磁性球体Ｍ１として遊技球を採用し、また電波検出用通過センサ３２として遊技機（例えば、入賞口内に設けられた遊技球の入賞を検出するためのセンサとして）に一般的に採用される近接センサを利用することにより、新たに、特別な磁性球体Ｍ１や電波検出用通過センサ３２を開発したり採用する必要がないため、既存の部材を利用して、効率よく磁気振動電波検出ユニット３０を実現することができ、安価で不正行為の対策が可能となる。
【００８８】
上述の第１の実施形態及び第２の実施形態（以下、本実施形態という）に係る遊技機では、第１始動入賞口１５や第２始動入賞口１７の近傍で発生する振動及び磁力は、第１始動入賞口１５や第２始動入賞口１７へ遊技球を誘導するための不正行為に係る外力とみなし、また、第１始動入賞口１５や第２始動入賞口１７の近傍で発生する電波も同様に、第１始動入賞口１５の第１始動口センサ１５１または第２始動入賞口１７の第２始動口センサ１７３を誤動作させるための不正行為に係る外力とみなしており、これらの振動、磁力及び電波の外力に対して、上述のように、磁気振動検出ユニット２０または磁気振動電波検出ユニット３０を第１始動入賞口１５や第２始動入賞口１７の近傍に設置することにより、従来はスペース等の問題により困難であった振動、磁力及び電波という複数種類の外力を、最もこれらの外力の影響が懸念される第１始動入賞口１５や第２始動入賞口１７の近傍で適切に検出することが可能となっている。
【００８９】
すなわち、第１の実施形態に係る遊技機では、磁力を検出したり、振動を検出したり、それらが同時に発生した場合であっても、検出することができ、第２の実施形態に係る遊技機では、磁力、振動に加え、電波を検出したり、それらの組合せが同時に発生した場合であっても検出することが可能となっている。
【００９０】
以上、本発明の実施形態の説明を通して遊技機の要部である磁気振動検出ユニット２０及び磁気振動電波検出ユニット３０について詳説したが、本発明の要旨を逸脱しない範囲内で、本実施形態に対して、次のような変形や変更を施すことが可能である。また、上記の本実施形態及び下記変形例におけるそれぞれの構成部材や処理や条件等を適宜組み合わせることが可能である。
【００９１】
（変形例１）
本実施形態では、磁気振動検出ユニット２０または磁気振動電波検出ユニット３０の上流通路２１ｆ、３３ｆ及び下流通路２２１ｅにおいて傾斜面Ｉ１〜Ｉ３を設けることにより、磁性球体Ｍを、下流通路２２１ｅの下流側端部に留めるとともに、微弱の磁力や振動では傾斜面Ｉ２を上って通過センサ２３を通過しないように構成しているが、それに限定されず、傾斜面Ｉ１〜Ｉ３の代わりに（上流通路２１ｆ、３３ｆ及び下流通路２２１ｅを平坦にして）、下流側（通過センサ２３が設けられている上流側とは反対側）端部に磁性球体Ｍを磁力により吸引可能な磁石（抵抗付与手段）Ｍｇを設けて、上述の傾斜面Ｉ１〜Ｉ３と同等の機能を発揮させるようにしてもよい。なお、磁石Ｍｇには、永久磁石または電磁石のいずれを採用してもよい。
【００９２】
具体的には、図１５に示すように、後ケース２２の箱部２２１の下流通路２２１ｅの後部（後板２２１ｄ）に磁石Ｍｇを設ける。磁石Ｍｇの磁力により、上流通路２１ｆ、３３ｆへ移動した磁性球体Ｍを下流通路２２１ｅの下流側端部に吸引して、留めることができる。この場合、上流通路２１ｆ、３３ｆ及び下流通路２２１ｅに傾斜面Ｉ１、Ｉ２、Ｉ３を設ける必要はないが、必要に応じて、磁石Ｍｇと合わせて傾斜面Ｉ１、Ｉ２、Ｉ３を設けるようにしてもよい。
【００９３】
なお、図１５では、磁気振動検出ユニット２０にこの変形例１の構成を適用した一例を示したが、この磁気振動検出ユニット２０の前面に図１９で示す電波検出ユニット３３Ｃを取付けるようにしたり、磁気振動検出ユニット２０の前ケース２１に代えて、磁気振動電波検出ユニット３０のセンサホルダ３３、前カバー部材３１、電波検出用通過センサ３２及び磁性球体Ｍ１を組付けるようにしたりして、磁気振動電波検出ユニット３０の変形例を構成するようにしてもよい。
【００９４】
ここで、図１９に示す電波検出ユニット３３Ｃは、第２の実施形態におけるセンサホルダ３３の一部であって、後収容部３３Ｂとは独立して設けられる前収容部３３Ａと、前カバー部材３１と電波検出用通過センサ３２と、磁性球体Ｍ１とから構成され、磁気振動検出ユニット２０に別体として取付けることができる。
【００９５】
（変形例２）
磁気振動検出ユニット２０または磁気振動電波検出ユニット３０の上流通路２１ｆ、３３ｆ及び下流通路２２１ｅにおける傾斜面Ｉ１〜Ｉ３の傾斜の角度のそれぞれ、または一部を手動または自動で調整可能とするようにしてもよい。遊技機の設置環境に応じて傾斜面Ｉ１〜Ｉ３の角度を適宜変更とすることができるため好適である。
【００９６】
（変形例３）
本実施形態の磁気振動検出ユニット２０または磁気振動電波検出ユニット３０の上流通路２１ｆ、３３ｆ及び下流通路２２１ｅにおける傾斜面Ｉ１〜Ｉ３の代わりに、少なくとも上流通路２１ｆ、３３ｆまたは下流通路２２１ｅのいずれかに、磁性球体Ｍが前方へ移動する際に乗り上げるような階段状の上り段部（図示省略）や小突起（図示省略）などの段差部を設けたり、粘着剤などのストッパ（図示省略）を設けるようにしてもよい。また、傾斜面Ｉ１〜Ｉ３と組み合わせて上述の上り段部、小突起、ストッパを設けるようにしてもよい。
【００９７】
なお、上り段部、小突起の段差の高さや、ストッパの粘度は、磁性球体Ｍが、不正磁石や振動では、上り段部、小突起、ストッパに逆らって通過センサ２３が検知可能なように前方へ移動可能な抵抗程度とし、かつ遊技球の発射操作時に生じ得る微弱（遊技球を殆ど移動させることができない程度）の磁力や振動では、上り段部、小突起、ストッパに逆らって前方へ移動した場合であっても、通過センサ２３が磁性球体Ｍを検知し得ないような抵抗程度とする。これにより、磁石または振動による不正行為を適切に検出可能とするとともに、通常の（正常な）遊技においても発生し得るような外力（磁力や振動）の誤検出を防止することができる。
【００９８】
（変形例４）
本実施形態において、磁気及び振動を検出するためのセンサとして、磁性球体Ｍの近接センサである通過センサ２３を採用しているが、これに限定されず、磁性球体Ｍの接触、非接触によるプランジャＰの突没によってオフ／オンが切り替わる有接点スイッチ（機械式スイッチ）として、例えば、リミットスイッチＬＳ１を採用してもよい。
【００９９】
具体的には、図１６に示すように、不正磁石や振動による不正行為が行われていない正常状態では、後ケース２２の箱部２２１の後板２２１ｄに前後方向に突没可能なプランジャＰが貫通可能な貫通孔２２１ｈを設け、リミットスイッチＬＳ１を、プランジャＰを貫通孔２２１ｈに貫通させた状態で箱部２２１の後板２２１ｄの後面にネジ止め固定する。
【０１００】
リミットスイッチＬＳ１は、下流通路２２１ｅの傾斜により下流側端部に留まる磁性球体Ｍの押圧によって、プランジャＰが没入状態となるオン状態（検出状態）を維持する。この場合、リミットスイッチＬＳ１はオン信号（検出信号）を主制御基板１１０へ送信する。
【０１０１】
例えば、遊技盤４の前方から第１始動入賞口１５や第２始動入賞口１７に不正磁石を近づけた場合、当該不正磁石の磁力によって磁性球体Ｍが前方へ転動し、また、遊技機を叩いたりして遊技盤４を振動させたりした場合、磁性球体Ｍは慣性により、後ケース２２の前方へ相対的に移動することにより、リミットスイッチＬＳ１は、磁性球体Ｍにより押圧されて没入状態となっていたプランジャＰが解放されて突出状態であるオフ状態（非検出状態）となる（図１６の二点鎖線で現す）。この場合、リミットスイッチＬＳ１は主制御基板１１０へのオン信号の送信を停止する。
【０１０２】
主制御基板１１０は、リミットスイッチＬＳ１からのオン信号の送信が停止されたこと、換言すると、リミットスイッチＬＳ１がオフ状態となったことに基づいて、磁気または振動によるエラー発生と判断し、上述の不正行為抑制処理を行うことにより、不正行為を防止することができる。なお、主制御基板１１０は、リミットスイッチＬＳ１からのオン信号の送信が開始されたこと、換言すると、リミットスイッチＬＳ１がオン状態となったことしても、上述のような処理は行わない。
【０１０３】
なお、図１６では、後ケース２２の箱部２２１の前面の開口を塞ぐ蓋部材２４を取付けることにより、磁気振動検出ユニット２０の変形例を構成するようにしているが、図１９で示す電波検出ユニット３３Ｃを後ケース２２の箱部２２１の開口する前面に取付けることにより、磁気振動電波検出ユニット３０の変形例を構成するようにしてもよい。なお、蓋部材２４は、遊技盤４に後ケース２２をネジ止め固定するための取付片（図示省略）を設けている。
【０１０４】
（変形例５）
上述の変形例４では、後ケース２２の箱部２２１の後板２２１ｄにリミットスイッチＬＳ１を設けるようにしているが、後ケース２２の下流通路２２１ｅの前側（上流側）に有接点スイッチ（機械式スイッチ）として、例えば、リミットスイッチＬＳ２を設けるようにしてもよい。
【０１０５】
具体的には、図１７に示すように、リミットスイッチＬＳ２は、可動端子である可動片ＭＴと固定端子である端子ＦＴと、コイルスプリングＣＳとを含んで構成される。リミットスイッチＬＳ２は、可動片ＭＴが端子ＦＴに接触することにより、オン状態となって、オン信号（検出信号）を主制御基板１１０へ送信し、可動片ＭＴが端子ＦＴに接触しなくなったことにより、オフ状態となって、オン信号の送信を停止する。
【０１０６】
図１７に示すように、可動片ＭＴは、弾性変形可能な薄板状の金属で形成され、下流通路２２１ｅに後側の基端部が固定される。また、可動片ＭＴが前側の遊端部に向かって上り傾斜になるように、下流通路２２１ｅ上に設けたコイルスプリングＣＳによって支持する。
【０１０７】
例えば、遊技盤４の前方から第１始動入賞口１５や第２始動入賞口１７に不正磁石を近づけた場合、当該不正磁石の磁力によって磁性球体Ｍが前方へ転動し、また、遊技機を叩いたりして遊技盤４を振動させたりした場合、磁性球体Ｍは慣性により、後ケース２２の前方へ相対的に移動することにより、リミットスイッチＬＳ２の可動片ＭＴに乗り上げて、可動片ＭＴを、図１７の実線で現される初期位置からコイルスプリングＣＳの付勢力に抗して下方へ押圧して、弾性変形させて、図１７の二点鎖線で現される変動位置へ移動させることにより、可動片ＭＴが端子ＦＴに接触する。また、不正行為が行われなくなり、磁性球体Ｍが後方へ転動することにより、可動片ＭＴの押圧が解除されると、可動片ＭＴは、変動位置からコイルスプリングＣＳの上向きの付勢力によって、端子ＦＴから離れて、初期位置に変位する。
【０１０８】
主制御基板１１０は、リミットスイッチＬＳ２からのオン信号の送信、換言すると、リミットスイッチＬＳ２がオン状態となったことに基づいて、磁気または振動によるエラー発生と判断し、上述の不正行為抑制処理を行うことにより、不正行為を防止することができる。なお、主制御基板１１０は、リミットスイッチＬＳ２からのオン信号の送信の停止、換言すると、リミットスイッチＬＳ２がオフ状態となったとしても、上述のような処理は行わない。
【０１０９】
なお、図１７では、変形例４と同様、後ケース２２の箱部２２１の前面の開口を塞ぐ蓋部材２４を取付けることにより、磁気振動検出ユニット２０の変形例を構成するようにしているが、図１９で示す電波検出ユニット３３Ｃを後ケース２２の箱部２２１の開口する前面に取付けることにより、磁気振動電波検出ユニット３０の変形例を構成するようにしてもよい。なお、蓋部材２４は、遊技盤４に後ケース２２をネジ止め固定するための取付片（図示省略）を設けている。
【０１１０】
（変形例６）
本実施形態の前ケース２１またはセンサホルダ３３の後収容部３３Ｂにおける上流通路２１ｆ、３３ｆの前後方向の寸法を、通過センサ２３が磁性球体Ｍを検出可能な程度に短寸としてもよい。これにより、機能を維持した状態で、磁気振動検出ユニット２０または磁気振動電波検出ユニット３０の更なる小型化を図ることができる。
例えば、本変形例において、通過センサ２３の検出精度を上述の本実施形態のものよりも高めたもの（例えば、磁性球体Ｍの一部が検出孔３２１に進入したことに基づいて検出可能としたもの）を採用した場合、上流通路２１ｆが不要となるため、図１８に示すように、後ケース２２の前方から後ケース２２に収容された通過センサ２３を固定する前カバー部材３１を取付けて、上流通路２１ｆを省略するようにしてもよい。これにより、通路の長さを遊技球１個分とすることができ、磁気振動検出ユニット２０または磁気振動電波検出ユニット３０の小型化を図ることができる。
【０１１１】
なお、図１８では、前ケース２１の代わりに後ケース２２の前面の開口を塞ぐ前カバー部材３１を取付けることにより、磁気振動検出ユニット２０の変形例を構成するようにして、上流通路２１ｆを省略するようにしているが、図１９で示す電波検出ユニット３３Ｃを後ケース２２の箱部２２１の開口する前面に取付けることにより、磁気振動電波検出ユニット３０の変形例の構成するようにして、上流通路３３ｆを省略するようにしてもよい。
【０１１２】
（変形例７）
本実施形態の磁気振動検出ユニット２０または磁気振動電波検出ユニット３０を遊技盤４の表面側に設けるようにしてもよい。この場合、遊技球の流路を形成するための一つの構成部材として（例えば、遊技球が転動可能な通路等として）設けるようにしても、単に遊技球の流路を妨げない位置に設けるようにしてもよい。
この構成により、不正磁石の磁力に対する感度を高めることができ、不正行為の検出精度を向上させることができる。
【０１１３】
また、遊技盤４に沿って設けずに、遊技盤４の近傍であれば、上受皿８ａやセンター役物１１内に設けるようにしてもよい。
【０１１４】
（変形例８）
本実施形態の磁気振動検出ユニット２０または磁気振動電波検出ユニット３０をいわゆる羽根モノ（旧２種）の遊技機に搭載するようにしてもよい。
【０１１５】
図２０に示すように、当該遊技機においては、遊技盤４０のほぼ中央に、羽根部材６１の作動により遊技球が入球可能となる遊技装置６０が配置されている。遊技装置６０の内部には、遊技球が通過可能な複数の入球経路と、入球経路を通過した遊技球が入球可能な特別入球口６２が設けられており、遊技装置６０に入球した遊技球が所定の入球経路を経た後、所定の確率で特別入球口６２へ入球する構造となっている。
【０１１６】
遊技装置６０の上方には、風車Ｗ、Ｗが対をなして配置されている。そして、遊技装置６０の下方には、遊技球が入球することにより羽根部材６１を２回作動させる中羽根作動口７０が設けられ、中羽根作動口７０の左右には、遊技球が入球することにより羽根部材６１を１回作動させる一対の側羽根作動口７１、７１が設けられている。
【０１１７】
遊技領域４１を区画するガイドレールＧＬ沿いの左右にはサイドランプ８０が設置され、サイドランプ８０と遊技装置６０との間には、一般入球口９０及び風車Ｗが左右対称で配置されている。
【０１１８】
遊技装置６０の下部の特別入球口６２の近傍における遊技盤４０の裏側に、磁気振動検出ユニット２０または磁気振動電波検出ユニット３０を配置する。
【０１１９】
本変形例の遊技機では、遊技領域４１を流下する遊技球が、中羽根作動口７０または側羽根作動口７１へ入球したことに基づいて、遊技装置６０の羽根部材６１が所定回数（１回または２回）開放し、開放している間に入球した遊技球が所定の入球経路を経て特別入球口６２に入球（特別入球口６２内に設けられた球検出センサ（入球検出センサ）６２ａの遊技球の検出）したことに基づいて、遊技状態を特定遊技状態に移行させ、さらに羽根部材６１が所定の最大回数を限度に繰り返し開放されることにより特定遊技状態が継続し、遊技球が入賞し易い遊技者に有利な遊技状態となるように構成されている。
【０１２０】
ここで、特別入球口６２の近傍で発生する振動及び磁力は、特別入球口６２へ遊技球を誘導するための不正行為に係る外力とみなし、特別入球口６２の近傍で発生する電波も同様に、特別入球口６２に内蔵された球検出センサ６２ａを誤動作させるための不正行為に係る外力とみなす。
【０１２１】
これらの振動、磁力及び電波の外力に対して、磁気振動検出ユニット２０または磁気振動電波検出ユニット３０を特別入球口６２の近傍に設置することにより、従来はスペース等の問題により困難であった振動、磁力及び電波という複数種類の外力を、最もこれらの外力の影響が懸念される特別入球口６２の近傍で適切に検出することが可能となる。
【０１２２】
（変形例９）
本実施形態のアタッカー（大入賞口）１８内に、所定の条件を満たした場合にアタッカー１８に入賞済みの遊技球が通過可能な特定領域（Ｖ入賞口）（図示省略）を設け、大当り遊技の際に、アタッカー１８に入賞した遊技球が当該特定領域を通過（球検出スイッチ（図示省略）が検出）したことに基づいて、大当り遊技後の遊技を相対的に有利ないわゆる確変状態とし、当該特定領域を通過しなかった場合には、相対的に不利ないわゆる時短状態となる遊技機の場合には、アタッカー１８（入球口）の近傍にも磁気振動検出ユニット２０または磁気振動電波検出ユニット３０を設置する。
【０１２３】
すなわち、アタッカー１８の近傍で発生する振動及び磁力は、アタッカー１８に入賞した遊技球を特定領域へ遊技球を誘導するための不正行為に係る外力とみなし、アタッカー１８の近傍で発生する電波も同様に、特定領域に内蔵された球検出スイッチを誤動作させるための不正行為に係る外力とみなす。
【０１２４】
これらの振動、磁力及び電波の外力に対して、磁気振動検出ユニット２０または磁気振動電波検出ユニット３０をアタッカー１８の近傍に設置することにより、従来はスペース等の問題により困難であった振動、磁力及び電波という複数種類の外力を、最もこれらの外力の影響が懸念されるアタッカー１８の近傍で適切に検出することが可能となる。
【０１２５】
（変形例１０）
本実施形態の磁気振動検出ユニット２０または磁気振動電波検出ユニット３０では、球状の磁性体である磁性球体Ｍを採用しているが、磁性体であって、かつ振動や磁力等の外力により上流通路２１ｆ、３３ｆや下流通路２２１ｅ内を転動や滑走等により移動することが可能であれば、形状は球状に限定されることはない。例えば、円形のメダル形状のもの（例えば、パチスロ機の遊技の際に用いられるもの）や、車輪を設けるようにした磁性体を採用してもよい。
【符号の説明】
【０１２６】
１  遊技機、４  遊技盤、４ａ  遊技領域、６Ｌ、６Ｒ  スピーカ、７  電飾装置、９  発射ハンドル、１２  演出表示装置、１２ａ  表示画面、１５  第１始動入賞口、１６  スルーチャッカ、１７  第２始動入賞口、１７２  可動片、１８  アタッカー、１９  アウト口、２０  磁気振動検出ユニット、２１  前ケース、２１ｅ  仕切り板、２１ｆ  上流通路、２１２  上箱部、２１２ａ  誘導リブ、２１２ｂ  当接リブ、２１３  下箱部、２１３ａ  支持リブ、２１４  取付片、２１５  ボス、２２  後ケース、２２１  箱部、２２１ｅ  下流通路、２２１ｆ  誘導リブ、２２１ｇ  当接リブ、２２２  下延片、２２４  庇部、２２６  取付片、２３  通過センサ、２３１  検出孔、３０  磁気振動電波検出ユニット、３１  前カバー部材、３１２ａ  上支持部、３１２ｂ  下支持部、３１３  取付片、３１３ｂ  嵌合片、３２  電波検出用通過センサ、３２１  検出孔、３３  センサホルダ、３３Ａ  前収容部、３３Ｂ  後収容部、３３ｄ仕切り板、３３ｅ  仕切り板、３３ｆ  上流通路、３３２  上箱部、３３２ａ  誘導リブ、３３２ｂ  当接リブ、３３３  下箱部、３３３ａ  支持リブ、３３４  取付片、３３５  ボス、３３６  支持片、３３７  切欠き部、３３８  切欠き部
ＧＬ  ガードレール、Ｉ１〜Ｉ３  傾斜面、Ｍ、Ｍ１  磁性球体、Ｐ  遊技釘、Ｗ  風車、Ｓ１〜Ｓ３  ネジ
【図１】
2017018396.tif 000003
【図２】
2017018396.tif 000004
【図３】
2017018396.tif 000005
【図４】
2017018396.tif 000006
【図５】
2017018396.tif 000007
【図６】
2017018396.tif 000008
【図７】
2017018396.tif 000009
【図８】
2017018396.tif 000010
【図９】
2017018396.tif 000011
【図１０】
2017018396.tif 000012
【図１１】
2017018396.tif 000013
【図１２】
2017018396.tif 000014
【図１３】
2017018396.tif 000015
【図１４】
2017018396.tif 000016
【図１５】
2017018396.tif 000017
【図１６】
2017018396.tif 000018
【図１７】
2017018396.tif 000019
【図１８】
2017018396.tif 000020
【図１９】
2017018396.tif 000021
【図２０】
2017018396.tif 000022